(57)【要約】【課題】逆流した排水が排水設備から噴き出すことを防止でき、弁体が破損した場合であっても弁体を容易に交換できる逆流防止弁体付き桝装置を提供する。【解決手段】桝本体２に、流入側接続口４及び流出側接続口５を形成し、これら流入側接続口４と流出側接続口５とを接続するインバート部６及びこのインバート部６の上方に開口する掃除口７を形成する。この桝本体２の流入側接続口４のインバート部６側に弁体３を着脱自在に取付けて、桝本体２と弁体３とによって逆流防止弁体付き桝装置１を構成する。弁体３は、この弁体３を桝本体２の掃除口７または掃除口７に接続された立ち上がり管８に固定する円弧状で弾性変形可能な押さえ部14を備える。この押さえ部14に桝本体２の流入側接続口４を開閉可能に閉塞する弁部16を回動可能に取付ける。【選択図】図１
2009046828.tif 000002
【特許請求の範囲】
【請求項１】
流入側接続口、流出側接続口、これら流入側接続口と流出側接続口とを接続するインバート部及びこのインバート部の上方に開口する掃除口を形成した桝本体と、この桝本体の前記流入側接続口の前記インバート部側に着脱可能に取付けられる弁体とを備えた逆流防止弁体付き桝装置であって、
前記弁体は、
この弁体を前記桝本体の前記掃除口またはこの掃除口に接続された立ち上がり管に固定する円弧状の押さえ部と、この押さえ部に回動可能に取付けられ前記流入側接続口を開閉可能に閉塞する弁部とによって構成した
ことを特徴とする逆流防止弁体付き桝装置。
【請求項２】
桝本体には、弁体に形成した被係合部が係脱可能に係合する係合部を設けた
ことを特徴とする請求項１記載の逆流防止弁体付き桝装置。
【請求項３】
弁体には、桝本体から前記弁体を着脱する治具と係合可能な治具係合部を設けた
ことを特徴とする請求項１または２記載の逆流防止弁体付き桝装置。
【発明の詳細な説明】
【技術分野】
【０００１】
本発明は、逆流した排水が排水設備から噴き出すことを防止できるとともに、弁体が破損してしまった場合であっても容易に交換できる逆流防止弁体付き桝装置に関する。
【背景技術】
【０００２】
一般に、家庭内の各排水設備から排出される排水は、排水設備に接続した排水枝管を経て宅地内に設置された宅地桝に流入し、この宅地桝から直接または他の宅地桝を経て一つの公共桝に合流し、最終的にこの公共桝から下水道本管へと排出されるようになっている。
【０００３】
近年、この下水道本管に流入する排水量が増大し、特に台風などで大量の雨水が下水道本管に流入すると、下水道本管の排水能力を超え、溢れ出る排水またはこの排水によって圧送された空気が公共桝を経て排水枝管を逆流し、各排水設備から排水または空気が建物内に噴き出す問題が生じている。
【０００４】
そこで、従来、排水桝本体の流入側接続管を接続する流入側接続口の内側開口端近傍の内壁面部に、フック状の係合部を突設し、この係合部に流入側接続口の内端部をこの流入側接続口から排水桝本体内に流入する排水によって開放される弁体を回動可能に取付ける構造のものが知られている（例えば、特許文献１参照。）。
【０００５】
しかしながら、この特許文献１の従来の排水桝のように、合成樹脂にて射出成形した桝本体内部に弁体を開閉可能に支持するフック状の係合部を一体に突設することは成形上困難である。また、桝本体内部に形成されたフック状の係合部に弁体を開閉可能に取付ける構成では、既設の桝本体に弁体を取付けることができず、さらに、例えば逆流する排水や空気の圧力等によって弁体が破損してしまった場合に交換できないという問題がある。
【０００６】
また、従来、桝本体の流入側接続口の内径に略等しい外径を有する略円筒状の逆流防止装置本体を備え、この逆流防止本体には、流入側接続口から桝本体内に流入する排水によって開放される弁体と、逆流防止装置本体を桝本体内から差込接続する取付け装置の取付け部とが設けられ、既設の桝本体にも取付け可能であり、例えば逆流する排水や空気の圧力等により弁体が破損してしまった場合であっても交換可能である逆流防止装置が知られている。（例えば、特許文献２参照。）。
【０００７】
しかしながら、この特許文献２の従来の逆流防止装置では、取付ける際に、使用方法が複雑な取付け装置を使用する必要があり、取付け操作が複雑で容易に交換できない問題がある。
【特許文献１】特開平１０−１９５９６９号公報（第２−３頁、図４、図７）
【特許文献２】特開２００６−２８３５４７号公報（第８−１０頁、図１）
【発明の開示】
【発明が解決しようとする課題】
【０００８】
上述した従来の排水桝や逆流防止装置は、逆流した排水が排水設備から噴き出すことを防止できるものの、弁体が破損してしまった場合に、交換できないものや、交換可能であるが交換する際の取付け操作が複雑で容易に交換できないものであり、弁体が破損してしまった場合であっても容易に交換できるものが望まれていた。
【０００９】
本発明はこのような点に鑑みなされたもので、逆流した排水が排水設備から噴き出すことを防止でき、弁体が破損した場合であっても弁体を容易に交換できる逆流防止弁体付き桝装置を提供する。
【課題を解決するための手段】
【００１０】
請求項１に記載された発明は、流入側接続口、流出側接続口、これら流入側接続口と流出側接続口とを接続するインバート部及びこのインバート部の上方に開口する掃除口を形成した桝本体と、この桝本体の前記流入側接続口の前記インバート部側に着脱可能に取付けられる弁体とを備えた逆流防止弁体付き桝装置であって、前記弁体は、この弁体を前記桝本体の前記掃除口またはこの掃除口に接続された立ち上がり管に固定する円弧状の押さえ部と、この押さえ部に回動可能に取付けられ前記流入側接続口を開閉可能に閉塞する弁部とによって構成したものである。
【００１１】
そして、下水道本管から溢れた排水が前記流出側接続口から前記桝本体へ逆流しても、前記弁体の前記弁部によって前記流入側接続口が閉塞されているので、逆流する排水は前記流入側接続管に侵入することがなく、家屋内の排水設備から排水及びこの排水によって圧送された空気が噴き出すことがない。また、前記流入側接続口から前記桝本体へ流入する排水によって前記弁体の前記弁部が前記本体内に向って開口されるため、各排水設備から排出される排水は、前記桝本体内に流入して前記流出側接続口から下水道本管へ排出される。
【００１２】
さらに、前記弁体は、弾性変形可能な前記押さえ部を前記桝本体の前記掃除口またはこの掃除口に接続された立ち上がり管に固定して前記桝本体に取付けられているので、前記押さえ部を縮径することによって、前記弁体を脱着できる。
【００１３】
請求項２に記載された発明は、請求項１に記載された逆流防止弁体付き桝装置において、桝本体には、弁体に形成した被係合部が係脱可能に係合する係合部を設けたものである。
【００１４】
そして、前記弁体の取付けの際には、前記弁体に形成した前記被係合部を前記桝本体に設けた係合部に係合することにより、前記弁体を所定の取付位置に取付けることができる。
【００１５】
請求項３に記載された発明は、請求項１または２に記載された逆流防止弁体付き桝装置において、前記弁体には、桝本体から前記弁体を着脱する治具と係合可能な治具係合部を設けたものである。
【００１６】
そして、前記弁体を交換する際には、前記弁体の治具係合部に治具を係合させて着脱して交換する。
【発明の効果】
【００１７】
請求項１に記載された発明によれば、桝本体の流入側接続口のインバート部側に弁体が取付けられたことにより、前記流出側接続口から前記桝本体へ排水が逆流しても、前記弁体によって逆流した排水が前記桝本体から流入側接続口へ侵入することを防止できるので、排水及びこの排水によって圧送された空気が、排水設備から家屋内へ噴き出すことを防止できる。
【００１８】
さらに、前記弁体は、押さえ部を前記桝本体の掃除口またはこの掃除口に接続された立ち上がり管に固定することによって着脱自在に前記桝本体に取付けられているので、前記弁体が逆流する排水や空気によって破損した場合であっても、容易に交換できる。
【００１９】
請求項２に記載された発明によれば、弁体の被係合部が係脱自在に係合する係合部を桝本体に設けたことにより、前記弁体を取付ける際に、前記弁体の位置決めを容易にでき、前記桝本体に前記弁体を確実に取付けることができる。
【００２０】
請求項３に記載された発明によれば、弁体に治具係合部を設けたことにより、前記弁体を交換する際に、治具を前記治具係合部に係合することができるので、治具が使用し易く、より容易に交換できる。
【発明を実施するための最良の形態】
【００２１】
以下、本発明の一実施の形態を図１ないし図６を参照しながら詳細に説明する。
【００２２】
図１及び図２は、逆流防止弁体付き桝装置１を示し、この逆流防止弁体付き桝装置１は、桝本体２とこの桝本体２に着脱自在に取付けられた弁体３とを備えている。
【００２３】
桝本体２は、合成樹脂にて成形され、図３に示されるように、流入側接続口４、流出側接続口５が形成され、これら流入側接続口４と流出側接続口５とを接続するインバート部６及びこのインバート部６の上方に開口する掃除口７が形成されている。
【００２４】
この掃除口７は受口に形成され、この受口の掃除口７には立ち上がり管８の下端部が嵌合されて接続され、この立ち上がり管８の上端部には枠体９が嵌着されている。
【００２５】
この枠体９は、立ち上がり管８の内径と略同一の外径を有する略円筒状の嵌挿部10を有し、さらに、枠体９の上端開口部の内周部には環状の支持部11が形成され、この支持部11に図示しない略円板状の掃除口蓋体が開閉自在に支持されている。
【００２６】
そして、桝本体２の流入側接続口４のインバート部６側に位置するように弁体３が着脱自在に取付けられている。
【００２７】
図４ないし図６に示されるように、弁体３は、この弁体３を桝本体２の掃除口７に接続された立ち上がり管８に固定する円弧状の押さえ部14を備え、さらに、この押さえ部14にヒンジ15にて回動可能に軸支されて取付けられた弁部16によって、流入側接続口４を開閉可能に閉塞するように構成されている。
【００２８】
押さえ部14は、円環の一部が切り欠かれ、桝本体２の掃除口７に接続された立ち上がり管８の内径より大きく形成され円弧状の形状であり、弾性変形可能であり、弾性変形可能な押さえ部14を縮径させて、その拡開弾性によって固定され、弁体３が流入側接続口４のインバート部６側に位置するように取付けられる。
【００２９】
なお、この実施例では、掃除口７に接続された立ち上がり管８の内周面に押さえ部14を固定したが、弁体３が流入側接続口４のインバート部６側に位置するように取付けられていれば、押さえ部14を、桝本体２の掃除口７の内周面または掃除口７に接続された立ち上がり管８の内周面のどちらに固定してもよい。
【００３０】
弁部16のヒンジ15による軸支部の両側には溝状または突起状の被係合部17が形成され、桝本体２には被係合部17と係脱可能に係合する溝状または突起状の係合部18が設けられている。
【００３１】
被係合部17は、弁部16と干渉しないように、弁部16の外径よりやや大きな円弧状に切り欠かれた形状である。
【００３２】
このように、弁体３に被係合部17が設けられ、桝本体２に係合部18が設けられたことにより、弁体３を桝本体２に取付ける際に、弁体３の位置決めを容易にでき、弁体３を確実に取付けることができるので好ましいが、弁体３に被係合部17が設けられ、桝本体２に係合部18が設けられる構成には限定されず、例えば、弁体３に被係合部17を設けない構成や、桝本体２に係合部18を設けない構成であっても、弁体３は、押さえ部14によって桝本体２に固定できるので、取付け可能である。
【００３３】
また、弁体３には、桝本体２から弁体３を着脱させる際に使用する交換用の治具23と係合可能な治具係合部19が設けられている。
【００３４】
この治具係合部19は、円環の一部を切り欠いた円弧状の押さえ部14の一方の先端部を折曲させて形成されており、治具係合部19には、治具係合孔20が形成されている。
【００３５】
また、図７に示されるように交換用の治具23は、先端部24がフック状に形成され、他端側に三角状に折曲された持ち手部25が形成されたもので、このフック状の先端部24を弁体３の治具係合部19の治具係合孔20に係合できる。
【００３６】
なお、治具23は、先端部24がフック状の形状のものには限定されず、弁体３の治具係合部19と係合できる形状のものであればよい。また、持ち手部25の形状も三角状には限定されず、また持ち手を設けない構成としてもよい。
【００３７】
弁体３に治具係合孔20が形成された治具係合部19が設けられることにより、弁体３を着脱する際に治具23を使用し易く、弁体３の交換作業がより容易になるので好ましいが、弁体３に治具係合部19を設ける構成には限定されず、治具係合部19を設けない構成としてもよい。
【００３８】
また、治具係合部19に治具係合孔20が形成されることにより、治具23が治具係合部19と係合し易く、交換作業を容易にできるので好ましいが、治具係合部19に治具係合孔20を形成する構成には限定されず、例えば、突設した治具係合部19に治具23を係合する構成等でもよい。
【００３９】
さらに、弁体３に治具係合部19を設ける場合には、押さえ部14の先端部に設けることにより、治具23を治具係合部19に係合した状態で上方に引っ張ると、押さえ部14が縮径し易く、容易に弁体３を取外すことができ、また、押さえ部14の先端部を折曲するだけで治具係合部19を形成できるので好ましいが、治具係合部19を押さえ部14の先端部に設ける構成には限定されず、弁体３のどの部分に設けてもよい。
【００４０】
ヒンジ15にて回動可能に取付けられた弁部16は、通常、図５に示されるように弁部16の自重によって略鉛直な状態となって流入側接続口４を閉塞しており、流入側接続口４から桝本体２へ排水が排出されることによって、図６に示されるように、弁部16が桝本体２内に向かって回動し、流入側接続口４を開口する。そして、排水が排出し終わると、再度弁部16は、自重によって鉛直な状態となり流入側接続口４を閉塞する。
【００４１】
ここで、弁部16の軸支部にはストッパ21が設けられており、図６に示す弁部16が略水平な開口状態まで回動できるように回動範囲を規制されている。
【００４２】
このように弁部16の回動範囲が規制されることにより、流入側接続口４から排水を排出する際に、弁部16が開口方向に回動し過ぎて、排水の排出後に弁部16が閉塞状態に戻らなくなるおそれを確実に防止できるので好ましいが、回動範囲が規制される構成には限定されず、回動範囲を規制しない構成としてもよい。
【００４３】
また、桝本体２の流入側接続口４には、弁部16が係脱可能に係合する弁部係合部22が形成され、弁部16が閉塞状態では、弁部16が弁部係合部22に係合する。
【００４４】
このように、流入側接続口４に弁部係合部22が設けられることにより、弁部16が流入側接続口４を確実に閉塞できるので好ましいが、流入側接続口４に弁部係合部22が設けられる構成には限定されず、例えば弁部16が、流入側接続口４の縁部を覆うように流入側接続口４を閉塞する構成等でもよい。
【００４５】
なお、この逆流防止弁体付き桝装置１は、公共桝に使用するのが一般的ではあるが、公共桝に使用することには限定されず、例えば宅地桝等に利用することも可能である。
【００４６】
次に、上記実施の形態の作用及び効果を説明する。
【００４７】
逆流防止弁体付き桝装置１は、通常、図５に示されるように弁部16が自重によって略鉛直な状態となって流入側接続口４を閉塞しており、流入側接続口４から桝本体２へ排水が排出されることによって、図６に示されるように、弁部16が桝本体２内に向かって回動し、流入側接続口４を開口する。そして、排水の排出が終わると、再度弁部16は、自重によって鉛直な状態となり流入側接続口４を閉塞する。
【００４８】
このように、桝本体２の流入側接続口４のインバート部６側に弁体３が取付けられた逆流防止弁体付き桝装置１は、下水道本管から溢れた排水が桝本体２に逆流した場合であっても、弁体３に設けられた弁部16によって流入側接続口４が閉塞され、逆流した排水が桝本体２から流入側接続口４へ侵入することを防止できるので、逆流した排水及びこの排水によって圧送された空気が、排水設備を通って家屋内へ噴き出すことがない。
【００４９】
逆流防止弁体付き桝装置１において、逆流する排水や空気により破損した弁体３を交換する際には、まず、枠体９から立ち上がり管８及び桝本体２の掃除口７へ交換用の治具23を挿入し、治具23の先端部24を、円弧状の押さえ部14の先端部に設けられた治具係合部19の治具係合孔20に係合する。そして、治具23を治具係合部19の治具係合孔20に係合した状態で、治具23を上方へ引っ張ることにより、弾性変形可能な円弧状の押さえ部14が弾性に抗して縮径し掃除口７に接続された立ち上がり管８での押さえ部14の固定が外れ、そのまま、治具23を引き上げて弁体３を取外し、逆流防止弁体付き桝装置１から弁体３を取出す。
【００５０】
また、新しい弁体３の押さえ部14の治具係合部19の治具係合孔20に治具23を係合し、治具23が係合した状態の弁体３を枠体９から立ち上がり管８へ入れる。そして、そのまま治具23によって弁体３を押し下げるようにして、弁体３の被係合部17と桝本体２の係合部18とを係合させ、縮径された押さえ部14を拡開弾性によって掃除口７に接続された立ち上がり管８に固定させて、弁体３を流入側接続口４のインバート部６側に取付ける。
【００５１】
さらに、押さえ部14の治具係合部19の治具係合孔20に係合された治具23を取外し、逆流防止弁体付き桝装置１から治具23を取出す。
【００５２】
このように、逆流防止弁体付き桝装置１では、一部が切り欠かれて弾性変形可能な押さえ部14を桝本体２の掃除口７に接続された立ち上がり管８に固定することによって、弁体３が着脱自在に桝本体２に取付けられるので、逆流する排水や空気によって弁体３が破損した場合であっても、容易に交換できる。
【００５３】
また、弁体３の被係合部17が係脱自在に係合する係合部18を桝本体２に設けたことにより、弁体３を取付ける際に、被係合部17と係合部18とを係合させることで、弁体３の位置決めを容易にでき、桝本体２に弁体３を確実に取付けることができる。
【００５４】
さらに、円環の一部が切り欠かれた円弧状の押さえ部14の先端部に、治具係合孔20を有する治具係合部19を設けたことにより、弁体３を交換する際に、治具23の先端部24を治具係合部19の治具係合孔20に係合することができるので、治具23が使用し易く、弁体３をより容易に交換できる。
【図面の簡単な説明】
【００５５】
【図１】本発明の一実施の形態を示す逆流防止弁体付き桝装置を示す縦断面図である。
【図２】同上逆流防止弁体付き桝装置を示す平面図である。
【図３】同上逆流防止弁体付き桝装置における桝本体を示す縦断面図である。
【図４】同上逆流防止弁体付き桝装置における弁体を示す平面図である。
【図５】同上逆流防止弁体付き桝装置における弁体の弁部の閉塞状態を示す縦断面図である。
【図６】同上逆流防止弁体付き桝装置における弁体の弁部の開口状態を示す縦断面図である。
【図７】同上逆流防止弁体付き桝装置における弁体を着脱する治具を示す側面図である。
【符号の説明】
【００５６】
１    逆流防止弁体付き桝装置
２    桝本体
３    弁体
４    流入側接続口
５    流出側接続口
６    インバート部
７    掃除口
８    立ち上がり管
14    押さえ部
16    弁部
17    被係合部
18    係合部
19    治具係合部
23    治具
【図１】
2009046828.tif 000003
【図２】
2009046828.tif 000004
【図３】
2009046828.tif 000005
【図４】
2009046828.tif 000006
【図５】
2009046828.tif 000007
【図６】
2009046828.tif 000008
【図７】
2009046828.tif 000009